(57)【要約】【課題】限られた画面表示領域で、ユーザーにとってコンテンツの内容が把握しやすく操作性のよいタイムラインを表示する。【解決手段】コンテンツ再生装置（１０Ａ）は、配信されたコンテンツを受信するコンテンツ受信部（１１）と、受信したコンテンツを表示するコンテンツ表示部（１５）と、受信したコンテンツのチャプターやシーンといった領域の境界を示すタグの時間軸上の位置を記録するタグ位置記録部（１３）と、受信したコンテンツの時間軸を表すタイムラインを計算するタイムライン表示計算部（１８）と、計算されたタイムラインを表示するタイムライン表示部（１５）とを備えている。タイムライン表示計算部（１８）は、受信したコンテンツの各領域の重要度およびタグ位置記録部に記録されたタグ位置情報に基づいてコンテンツの領域ごとにタイムラインの時間軸を伸縮する。【選択図】図１
2014225733.tif 000002
【特許請求の範囲】
【請求項１】
配信されたコンテンツを受信するコンテンツ受信部と、
前記受信したコンテンツを表示するコンテンツ表示部と、
前記受信したコンテンツのチャプターやシーンといった領域の境界を示すタグの時間軸上の位置を記録するタグ位置記録部と、
前記受信したコンテンツの時間軸を表すタイムラインを計算するタイムライン表示計算部と、
前記計算されたタイムラインを表示するタイムライン表示部とを備え、
前記タイムライン表示計算部が、前記受信したコンテンツの各領域の重要度および前記タグ位置記録部に記録されたタグ位置情報に基づいてコンテンツの領域ごとに前記タイムラインの時間軸を伸縮する
ことを特徴とするコンテンツ再生装置。
【請求項２】
前記コンテンツ表示部に表示されるコンテンツの再生方法についてユーザーからの指示を受け付けるコンテンツ操作部と、
前記コンテンツ操作部が受け付けたユーザー操作の履歴を記録するコンテンツ操作履歴記録部とを備え、
前記タイムライン表示計算部が、コンテンツの各領域に関して前記コンテンツ操作履歴記録部に記録されたユーザー操作履歴に基づいてコンテンツの各領域の重要度を計算する、請求項１に記載のコンテンツ再生装置。
【請求項３】
前記タイムライン表示計算部が、前記受信したコンテンツの各領域の重要度として、前記コンテンツ受信部が過去に受信した同種のコンテンツの各領域の重要度を使用する、請求項２に記載のコンテンツ再生装置。
【請求項４】
前記タイムライン表示計算部が、長時間の領域ほど重要度が高くなるように、コンテンツの各領域の重要度を計算する、請求項１に記載のコンテンツ再生装置。
【請求項５】
前記タイムライン表示計算部が、動き量が大きい領域ほど重要度が高くなるように、コンテンツの各領域の重要度を計算する、請求項１に記載のコンテンツ再生装置。
【発明の詳細な説明】
【技術分野】
【０００１】
本発明は、コンテンツを再生するコンテンツ再生装置に関し、特に、コンテンツの時間軸を表すタイムラインを表示する機能を有するコンテンツ再生装置に関する。
【背景技術】
【０００２】
コンテンツの再生制御において、タイムラインなどと呼ばれる作品全体の流れを時系列で管理する機能が存在する。この機能は、図１４に示されるようにある時間ごとの静止画を並べたものや、図１５に示されるように単純なスライダーバーで表示されているものとして実現されている。
【０００３】
従来、タイムラインに顔区間の概念を導入して各顔区間に登場人物の顔画像（顔サムネイル画像）を表示して、コンテンツにおける特定人物の登場シーンの検索を容易にしているものがある（例えば、特許文献１を参照）。
【先行技術文献】
【特許文献】
【０００４】
【特許文献１】特開２０１０−５４９４８号公報
【発明の概要】
【発明が解決しようとする課題】
【０００５】
従来のタイムラインの目盛は、同じ時間の幅で区切られている。このため、画面サイズに限りのある小型端末ではタイムラインをすべて画面上に表示できない問題があったり、デジタルテレビのボタン式リモコンではタイムラインの移動に操作端末のボタンを何度も押さないといけない問題があったりする。
【０００６】
上記問題に鑑み、本発明は、限られた画面表示領域で、ユーザーにとってコンテンツの内容が把握しやすく操作性のよいタイムラインを表示することを課題とする。
【課題を解決するための手段】
【０００７】
本発明の一局面に従ったコンテンツ再生装置は、配信されたコンテンツを受信するコンテンツ受信部と、前記受信したコンテンツを表示するコンテンツ表示部と、前記受信したコンテンツのチャプターやシーンといった領域の境界を示すタグの時間軸上の位置を記録するタグ位置記録部と、前記受信したコンテンツの時間軸を表すタイムラインを計算するタイムライン表示計算部と、前記計算されたタイムラインを表示するタイムライン表示部とを備え、前記タイムライン表示計算部が、前記受信したコンテンツの各領域の重要度および前記タグ位置記録部に記録されたタグ位置情報に基づいてコンテンツの領域ごとに前記タイムラインの時間軸を伸縮するものである。
【０００８】
これによると、コンテンツの各領域の重要度に応じてタイムラインの時間軸が伸縮されて表示されることにより、タイムライン全体の省スペース化を図ることができる。そして、タイムライン操作において同じスキップ操作でも、重要な領域では細かな移動を、重要でない領域では大幅な移動を実現できるため、ユーザーの直感的な要求にマッチしたタイムライン機能を実現することができる。また、タイムラインを見ることで自身が好む領域を一目でわかるため、重要度の可視化機能としても役立つ。
【０００９】
上記コンテンツ再生装置は、さらに、前記コンテンツ表示部に表示されるコンテンツの再生方法についてユーザーからの指示を受け付けるコンテンツ操作部と、前記コンテンツ操作部が受け付けたユーザー操作の履歴を記録するコンテンツ操作履歴記録部とを備えていてもよい。この場合、前記タイムライン表示計算部が、コンテンツの各領域に関して前記コンテンツ操作履歴記録部に記録されたユーザー操作履歴に基づいてコンテンツの各領域の重要度を計算する。
【００１０】
これによると、コンテンツに付与されるタグとコンテンツの操作履歴より、タイムラインの目盛幅を動的に変更することができる。
【００１１】
さらに、前記タイムライン表示計算部が、前記受信したコンテンツの各領域の重要度として、前記コンテンツ受信部が過去に受信した同種のコンテンツの各領域の重要度を使用するようにしてもよい。
【００１２】
これによると、過去の視聴結果を使用して未視聴の同種番組についても効率的なタイムライン機能を利用することができる。
【００１３】
前記タイムライン表示計算部は、長時間の領域ほど重要度が高くなるように、あるいは、動き量が大きい領域ほど重要度が高くなるように、コンテンツの各領域の重要度を計算するようにしてもよい。
【００１４】
これによると、コンテンツの各領域の重要度を簡便に計算することができる。
【発明の効果】
【００１５】
本発明によると、限られた画面表示領域で、ユーザーにとってコンテンツの内容が把握しやすく操作性のよいタイムラインを表示することができる。これにより、コンテンツ視聴におけるユーザーの利便性を向上することができる。
【図面の簡単な説明】
【００１６】
【図１】本発明の一実施形態に係るコンテンツ再生装置の構成図
【図２】変形例に係るコンテンツ再生装置の構成図
【図３】コンテンツに付与されたタグとそれによって分割される領域を説明する図
【図４】コンテンツの各領域への操作履歴および重要度の割り当てを説明する図
【図５】各領域の重要度に基づく表示領域サイズの圧縮と正規化処理を説明する図
【図６】本発明によるタイムライン表示の一例を示す図
【図７】本発明によるタイムライン表示の別例を示す図
【図８】従来のタイムライン表示と本発明によるタイムライン表示の移動操作を比較した図
【図９】過去に視聴した番組の各領域の重要度を未視聴の同種番組に適用する例を示す図
【図１０】構成が少しずつ異なる同種番組を比較した図
【図１１】文字の一致ペナルティを考慮した二つの同種番組間のスコアマトリクスを示す図
【図１２】文字の移動ペナルティを考慮した二つの同種番組間のスコアマトリクスを示す図
【図１３】過去に視聴した番組の各領域の重要度を未視聴の同種番組に類推適用する例を示す図
【図１４】従来のタイムライン表示の一例を示す図
【図１５】従来のタイムライン表示の別例を示す図
【発明を実施するための形態】
【００１７】
以下、図面を参照しながら本発明を実施するための形態について説明する。なお、本発明は、以下の実施形態に限定されるものではない。
【００１８】
図１は、本発明の一実施形態に係るコンテンツ再生装置の構成を示す。本実施形態に係るコンテンツ再生装置１０Ａは、コンテンツ受信部１１、コンテンツタグ位置解析部１２、タグ位置記録部１３、コンテンツ表示部１４、タイムライン表示部１５、コンテンツ操作部１６、コンテンツ操作履歴記録部１７、およびタイムライン表示計算部１８を備えている。
【００１９】
コンテンツ再生装置１０Ａは、コンテンツ配信会社の送信するテレビやラジオなどのコンテンツ（以下で「番組」と称することがある）を受信して再生するものである。コンテンツ再生装置１０Ａは、例えば、ＴＶ装置、携帯電話機、パーソナルコンピュータ、タブレット端末などである。コンテンツの配信方法は、地上波、衛星波、インターネット配信などである。
【００２０】
コンテンツ再生装置１０Ａは、コンテンツ受信部１１を通じてコンテンツを受信する。例えば、地上波であればチューナーが、インターネット配信であればネットワークアダプタや携帯端末がコンテンツ受信部１１に該当する。受信したコンテンツは、コンテンツ表示部１４で表示され、ユーザーに視聴される。
【００２１】
コンテンツタグ位置解析部１２は、受信したコンテンツのタグ付け位置を計算する。計算されたタグ位置情報は、タグ位置記録部１３において記録される。タグの詳細については後述する。
【００２２】
タイムライン表示計算部１８は、記録されたタグ情報をもとに、表示すべきタイムラインを計算する。タイムライン表示部１５は、計算されたタイムラインを表示する。
【００２３】
コンテンツ表示部１４とタイムライン表示部１５は、同一画面で提供される以外に、タイムラインだけを子機画面に表示するような利用形態も想定される。
【００２４】
ユーザーは、コンテンツ表示部１４やタイムライン表示部１５で表示される情報をもとに、コンテンツ操作部１６でコンテンツを操作する。操作した履歴は、コンテンツ操作履歴記録部１７で記録される。
【００２５】
タイムライン表示計算部１８は、記録されたコンテンツ操作履歴とタグ位置記録部１３で得られたタグ情報をもとに、タイムラインの表示内容を計算する。タイムラインの表示内容は、コンテンツ操作履歴記録部１７の内容が更新されるたびに再計算される。
【００２６】
コンテンツのタグ情報は、コンテンツ再生装置１０Ａの内部で計算する場合も想定されるが、それ以外の取得方法も想定される。例えば、タグ情報配信会社がコンテンツに関するタグ情報を作成し、それをタグ位置記録部１３が記録してもよい。これ以外にも、ユーザー自身がタグ情報を作成し、付与する方法も想定される。このような場合には、変形例として図２に示したように、コンテンツ再生装置１０Ａからコンテンツタグ位置解析部１２を省略してコンテンツ再生装置１０Ｂを構成することが可能である。
【００２７】
現在、配信されるコンテンツの多くには、チャプタータグと呼ばれる内容の分割箇所を意味するメタタグが付与されている。また、チャプタータグが付与されていないコンテンツでも、機器が自動的にメタタグを付与し、チャプター分割する機能が搭載されている。
【００２８】
図３は、コンテンツに付与されたタグとそれによって分割される領域を説明する図である。ここでいう「領域」とは、チャプターやシーンなどの一定の時間幅を持つコンテンツの要素のことである。例えば、図３（ａ）のようにチャプタータグが付与されたコンテンツは、図３（ｂ）のように内容に応じた領域に分割することができる。
【００２９】
図４は、コンテンツの各領域への操作履歴および重要度の割り当てを説明する図である。図４（ａ）のように各領域に分割されたコンテンツについてユーザーが操作した結果は、図４（ｂ）のように各領域に割り当てることができる。各領域においてなされた操作履歴について、表１のような操作に対応付けられた重要度の値を割り当てる。これにより、図４（ｃ）のように各領域に重要度が割り当てられる。
【００３０】
【表１】
2014225733.tif 000003
【００３１】
なお、実際の重要度は、本発明によるタイムライン表示について、複数の被験者に評価をしてもらい、その評価値の統計情報もとに決定された経験的な値である。
【００３２】
ある領域における重要度は、（１）式で表されるように、ある領域における操作がｎ個あるとき、それらの重要度の平均値として扱う。
【００３３】
【数１】
2014225733.tif 000004
【００３４】
ただし、ｉはコンテンツのｉ番目の内容領域、ａｖｅｉｍｐｉは領域ｉにおける平均重要度、ｉｎｄｅｘｉ（ｊ）は領域ｉにおける操作時間、ｎｉは領域ｉにおける操作総数、ｔｉｊは領域ｉにおけるｊ番目の操作の操作時間である。
【００３５】
図５は、各領域の重要度に基づく表示領域サイズの圧縮と正規化処理を説明する図である。（１）式で計算された各領域の重要度の計算結果について、図５に示されるような例を考える。それぞれの重要度の数値に従って、新たな表示領域は（２）式で計算される。
【００３６】
【数２】
2014225733.tif 000005
【００３７】
ただし、ｎｅｗｓｉｚｅｉはｉ番目の領域の新たな表示サイズ、ｏｌｄｓｉｚｅｉはｉ番目の領域の現在の表示サイズである。
【００３８】
図５（ａ）のように各領域ごとに重要度が割り当てられたコンテンツについて、（２）式を用いて、それぞれの領域の新たな表示サイズを計算し、図５（ｂ）のように表示領域を圧縮する。圧縮した結果の表示比率を維持しながら、本来の画面サイズに合うように図５（ｃ）のように領域を引き延ばす。これにより、内容の重要度に応じたタイムラインの表示が実現される。
【００３９】
図６および図７は、コンテンツ再生装置１０Ａによるタイムライン表示の例を示す。図１４や図１５に示されるような従来の表示方法と違い、コンテンツ再生装置１０Ａによると重要な領域に多くの画面領域が割り当てられるため、タイムラインの視認性が向上する。また、表示領域大きさの違いで、ユーザーが領域の重要度を理解できる。
【００４０】
ＴＶ装置や携帯端末などでコンテンツを視聴する際、機器に付属するボタンなどで視聴スキップ操作をすることになる。ボタンによる移動操作の多くは、押した回数分だけ等間隔にスキップ移動するステップ移動機能により実現されている。
【００４１】
図８は、従来のタイムライン表示と本発明によるタイムライン表示の移動操作を比較した図である。図８（ａ）のような従来のタイムライン表示では、等間隔で表示されたタイムライン上をステップ移動すると、重要でない領域をスキップする際に、何度もボタンを押す必要があり操作が煩雑になる。一方、図８（ｂ）のようなコンテンツ再生装置１０Ａによるタイムライン表示では、重要でない領域を狭く、重要な領域を広く表示しているため、タイムライン上でのステップ移動においてステップ幅が一定であっても、重要でない領域は大幅にスキップでき、重要な領域は細かくスキップできる。したがって、重要でない領域をスキップすることが容易になる。
【００４２】
次に、現在の番組の視聴結果から、次回の番組内容の重要度を自動的に決定する方法について説明する。
【００４３】
ドラマやニュースなど継続性のある番組は、番組構成が大きく変わることはない。同種番組の特定は、タイトルや放送時間などから、ある程度容易に行うことができる。ここで、同種番組はユーザーの視聴傾向も似てくることを前提とすると、過去の番組の視聴結果から得られた重要度を未視聴の同種番組に適用しても大きく外れることはない。したがって、過去の番組の視聴履歴を使用することで、ユーザーは、未視聴番組であっても各領域の重要度に応じたタイムライン表示で視聴を始められる。
【００４４】
図９は、過去に視聴した番組の各領域の重要度を未視聴の同種番組に適用する例を示す。図９（ａ）に示したように、過去に視聴した番組の視聴結果とそれによって算出された各領域の重要度が存在し、図９（ｂ）に示したように、当該番組の構成と未視聴の同種番組の構成とが同一である場合、未視聴の同種番組の各領域に過去に視聴した番組の各領域の重要度を適用することができる。これにより、操作履歴が不明の未視聴番組であっても各領域の重要度を容易に算出することができる。
【００４５】
しかし、同種番組であっても構成が毎回全く同じである保証は必ずしもない。図１０は、構成が少しずつ異なる同種番組を比較した図である。実際には図１０に示されるように、同種番組であっても番組構成が少し異なる場合もある。ただし、大きく番組構成が異なることは少ないため、パターンマッチングの手法を用いることで対応する領域を推定できる。
【００４６】
文字列照合においてＤＰマッチング法を適用する場合、照合元文字列を行に、照合先文字列を列に配置したマトリクスで考えることが概念的にわかりやすい。また、ＤＰマッチングでは、いくつかのペナルティ条件を設定する必要がある。一つは文字の移動に関するペナルティであり、一つは文字の一致に関するペナルティである。テレビやラジオのコンテンツの場合、コンテンツの領域の境界を表すタグが単語として定義されているため（例えば、「オープニング」や「ＣＭ」など）、各タグを文字とみなすことによりＤＰマッチングを適用できる。
【００４７】
図１１は、文字の一致ペナルティを考慮した二つの同種番組間のスコアマトリクスを示す。図１１のスコアマトリクスの行は、過去に視聴した番組の構成を表す単語列（基準単語列）、すなわち照合元であり、例えば、図１０に示した「今回の番組内容」に該当する。図１１のスコアマトリクスの列は、未視聴の同種番組の構成を表す単語列（照合単語列）、すなわち照合先であり、図１０に示した「さらに次回の番組内容」に該当する。
【００４８】
図１１のスコアマトリクスにおいて、左上端より移動コストも考慮しつつペナルティが最小となる移動コストを積算していくと、図１２に示したような、文字の移動ペナルティを考慮した二つの同種番組間のスコアマトリクスが得られる。この結果より、最小コストとなる移動経路が、単語列のマッチング結果となる。
【００４９】
図１３は、過去に視聴した番組の各領域の重要度を未視聴の同種番組に類推適用する例を示す。図１２に示したマッチング結果をもとに、図１３（ａ）に示したような過去に視聴した番組の各領域と、図１３（ｂ）に示したような未視聴の同種番組の各領域との間で対応関係がとれる。図１３に示したように、ＤＰマッチングにより領域のずれを考慮した領域の対応をとることにより、未知の番組に以前の番組の重要度を適用しても大きな間違いは発生しない。
【００５０】
番組の各領域の重要度は、上述の操作履歴以外に、各領域の時間長に応じて決めることもできる。例えば、ＣＭやオープニングなどの短時間の領域の重要度は比較的低いと考えられる。そこで、タイムライン表示計算部１８は、長時間の領域ほど重要度が高くなるように、番組の各領域の重要度を計算してもよい。これにより、番組の各領域の重要度を極めて容易に計算することができる。
【００５１】
あるいは、番組の各領域の重要度は、各領域の動き量に応じて決めることもできる。例えば、映像がほとんど変化しない、すなわち、ほとんど動きのない領域は重要度を下げてタイムラインの時間軸を縮めてもよいと考えられる。そこで、タイムライン表示計算部１８は、動き量が大きい領域ほど重要度が高くなるように、番組の各領域の重要度を計算してもよい。各領域の動き量は、各領域のコーデック圧縮率や画像の空間周波数などから知ることができる。コーデック圧縮率が高いほど、または、画像の空間周波数に含まれる高周波成分が少ないほど、その領域の動き量は少ない。これにより、番組の各領域の重要度を便宜的に計算することができる。
【００５２】
以上のように、本実施形態によると、従来は再生位置を把握するための可視化ツールであったタイムライン機能に内容の重要度を導入することができる。内容の重要度に応じてタイムラインの表示領域を動的に変更することにより、内容の重要度を視覚的に把握できるようになる。また、本実施形態によるタイムライン上で行う等間隔での移動操作は、重要度を考慮した移動操作となるため、ユーザーの操作要求に近いものとなる。つまり、重要度の低い箇所は大幅にスキップ、重要度の高い場所は細かくスキップしたいという操作を実現している。また、これらのタイムライン機能は、未視聴の番組でも利用したいという要求がある。本実施形態では、ＤＰマッチング法の適用により、同種番組間の差異を考慮しながら、対応位置のマッチングをとるため、未視聴の番組に以前視聴した結果を適用できる。
【符号の説明】
【００５３】
１０Ａ，１０Ｂ  コンテンツ再生装置
１１  コンテンツ受信部
１３  タグ位置記録部
１４  コンテンツ表示部
１５  タイムライン表示部
１６  コンテンツ操作部
１７  コンテンツ操作履歴記録部
１８  タイムライン表示計算部
【図１】
2014225733.tif 000006
【図２】
2014225733.tif 000007
【図３】
2014225733.tif 000008
【図９】
2014225733.tif 000009
【図１０】
2014225733.tif 000010
【図１３】
2014225733.tif 000011
【図４】
2014225733.tif 000012
【図５】
2014225733.tif 000013
【図６】
2014225733.tif 000014
【図７】
2014225733.tif 000015
【図８】
2014225733.tif 000016
【図１１】
2014225733.tif 000017
【図１２】
2014225733.tif 000018
【図１４】
2014225733.tif 000019
【図１５】
2014225733.tif 000020